(57)【特許請求の範囲】
【請求項１】
他の機種で使用されるデータを作成する電子楽器において、
複数機種に複数機能を対応付ける機能データベースと、
設定用入力装置の操作に基づいて前記複数機種から前記他の機種を選択する機種選択部と、
本電子楽器が実行することができる機能のうちの入力装置の操作に対応する操作機能を前記複数機能のうちの前記選択機種に対応する選択機能が含むときに、前記操作機能を実行することにより前記データを作成する実行部とを具備し、
前記実行部は、前記選択機能が前記操作機能を含まないときに前記操作機能を実行せずに前記データを作成する
電子楽器。
【請求項２】
請求項１において、
前記複数機能は、それぞれ、範囲を示し、
前記実行部は、前記データのうちの楽音に関するパラメータの値を前記選択機能が示す範囲に含まれない値に更新しないで、前記データのうちの楽音に関するパラメータの値を前記選択機能が示す範囲に含まれる値に更新する
電子楽器。
【請求項３】
請求項２において、
前記複数機能は、それぞれ、音色を示し、
前記実行部は、前記データのうちの前記楽音の音色を前記選択機能が示す音色に含まれない音色に更新しないで、前記データのうちの前記楽音の音色を前記選択機能が示す音色に含まれる音色に更新する
電子楽器。
【請求項４】
請求項２において、
前記複数機能は、それぞれ、音色系列を示し、
前記実行部は、前記入力装置の操作に基づいて複数音色系列のうちから前記選択機能が示す音色系列に含まれない音色系列を選択しないで、前記複数音色系列のうちから前記選択機能が示す音色系列に含まれる選択音色系列を選択し、前記入力装置の操作に基づいて前記選択音色系列のうちから選択音色を選択し、前記データのうちの前記楽音の音色を前記選択音色に更新する
電子楽器。
【請求項５】
請求項２において、
前記複数機能は、それぞれ、音色調整パラメータを示し、
前記実行部は、前記入力装置の操作に基づいて、前記データのうちの前記楽音の音色調整パラメータの値を前記選択機能が示す音色調整パラメータに含まれない音色調整パラメータの値に更新しないで、前記データのうちの前記楽音の音色調整パラメータの値を前記選択機能が示す音色調整パラメータに含まれる音色調整パラメータの値に更新する
電子楽器。
【請求項６】
請求項２において、
前記複数機能は、それぞれ、エフェクトを示し、
前記実行部は、前記入力装置の操作に基づいて、前記データのうちの前記楽音のエフェクトを前記選択機能が示すエフェクトに含まれないエフェクトに更新しないで、前記データのうちの前記楽音のエフェクトを前記選択機能が示すエフェクトに含まれるエフェクトに更新する
電子楽器。
【請求項７】
請求項２において、
前記複数機能は、それぞれ、音量範囲を示し、
前記実行部は、前記入力装置の操作に基づいて前記データのうちの前記楽音の音量を前記選択機能が示す音量範囲に含まれない音量に更新しないで、前記データのうちの前記楽音の音量を前記選択機能が示す音量範囲に含まれる音量に更新する
電子楽器。
【請求項８】
請求項２において、
前記複数機能は、それぞれ、発音数を示し、
前記実行部は、前記データが示す楽曲が自動演奏されるときに前記選択機能が示す発音数を越える複数の楽音が同時に発音されないように、前記選択機能が示す発音数以下の複数の楽音が同時に発音されるように、前記データを更新する
電子楽器。
【請求項９】
請求項１において、
前記複数機能は、それぞれ、パラメータの値が取り得る範囲を示し、
前記実行部は、前記データのうちの楽曲を構成する楽音に関するパラメータの値を前記選択機能が示す範囲に含まれない値に更新しないで、前記データのうちの楽曲を構成する楽音に関するパラメータの値を前記選択機能が示す範囲に含まれる値に更新する
電子楽器。
【請求項１０】
請求項１〜請求項９のいずれかにおいて、
前記データを記録媒体に記録する記録媒体作成部
を更に具備する電子楽器。
【発明の詳細な説明】
【技術分野】
【０００１】
本発明は、ユーザの操作により楽音を発音する電子楽器に関し、特に、楽音を発音するために必要である様々なパラメータを設定することができる電子楽器に関する。
【背景技術】
【０００２】
ユーザに操作されて楽音を発音する電子楽器が知られている。その電子楽器は、その楽音に関する様々なパラメータをユーザの操作により設定することができる。電子楽器は、同一シリーズにおいて機種間のデータ互換性が重視されて設計され、さらに、ある機種で使用されるデータを他の機種で使用することができるようにデータ変換する変換ソフトウェアが開発されている。このため、電子楽器は、旧シリーズで使用されるデータを現シリーズで使用することができるようになっている。
【０００３】
音楽教室では、一般的に、先生が上位機種の電子楽器を使用し、生徒が下位機種の電子楽器を使用している。また、初心者は、安価な下位機種から使い始める場合が多い。その生徒は、下位機種の電子楽器を用いて、その先生が作成した設定内容を利用して演奏したり、その先生が作成した楽曲を聴いてレッスンの模範としたりすることがよくある。その際に、その先生が下位機種の機能をよく理解して作成しないと、上位機種で作成された楽曲を下位機種で再生したときに、発音しなかったり、予期しない音色に変わってしまったりする楽音が発生するという不具合が発生することがある。当然のことながら、上位機種は、音色数、音色系列数、キーボード領域、同時発音数、あるいは、プリセットのためのメモリ数、エフェクト、音色の調整機能などの設定項目が豊富に準備されている。とりわけ、音色数は膨大なために、下位機種で使用できる音色を理解して選択することは容易でない。所望の設定内容を設定することをより容易にする電子楽器が望まれている。
【０００４】
特開平１１−０７３１８５号公報には、複数のモデルを廉価で提供することが可能であり、かつ、各モデル間でのレジストデータおよびレジストシーケンスの互換性が確保された電子楽器が開示されている。その電子楽器は、操作子の操作により設定されるパラメータからなる複数のレジストデータと各レジストデータに対応したレジスト番号の順列からなるレジストシーケンスを記憶する記憶手段と、レジストデータおよびレジストシーケンスを記録媒体または外部から前記記憶手段に転送し、前記記憶手段に記憶されたレジストデータおよびレジストシーケンスを記録媒体または外部へ転送する情報転送手段と、各々前記複数のレジストデータの１つを指定する複数のレジストスイッチと、前記レジストシーケンスにおける読出位置を変化させるセレクトスイッチと、前記レジストスイッチの操作に応じ、前記記憶手段に記憶された各レジストデータのうち前記レジストスイッチにより指定されたレジストデータを制御に使用し、前記セレクトスイッチの操作に応じ、前記レジストシーケンスにおける読出位置を変化させるとともに、当該読出位置におけるレジスト番号に対応したレジストデータを当該レジスト番号に対応したレジストスイッチの有無に拘わらず制御に使用する制御手段とを具備することを特徴としている。
【０００５】
【特許文献１】特開平１１−０７３１８５号公報
【発明の開示】
【発明が解決しようとする課題】
【０００６】
本発明の課題は、ユーザの操作を容易にする電子楽器を提供することにある。
本発明の他の課題は、他の機種に使用されることができるデータをより容易に作成する電子楽器を提供することにある。
本発明のさらに他の課題は、他の機種で自動演奏されることができる楽曲を作成するときのユーザの操作を容易にする電子楽器を提供することにある。
【課題を解決するための手段】
【０００７】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００８】
本発明による電子楽器（１）は、電子楽器（１）が実行することができる機能のうちの入力装置（５、６）の操作に対応する操作機能を実行する実行部（１４、１５、１６、１７）と、複数機種に複数機能を対応付ける機能データベース（１１）と、設定用入力装置（６）の操作に基づいて複数機種から選択機種を選択する機種選択部（１２）とを備えている。このとき、実行部（１４、１５、１６、１７）は、その選択機種に対応する選択機能が操作機能を含むときにその操作機能を実行し、その選択機能が操作機能を含まないときにその操作機能を実行しない。
【０００９】
実行部（１４）は、電子楽器（１）から発音される楽音に関するパラメータの値を入力装置（６）の操作に基づいて更新する。このとき、複数機能は、それぞれ、範囲を示している。実行部（１４）は、選択機能が示す範囲にその値が含むように入力装置（６）が操作されたときにそのパラメータの値を更新し、選択機能が示す範囲にその値が含まれないように入力装置（６）が操作されたときにそのパラメータの値を更新しない。
【００１０】
実行部（１４）は、入力装置（６）の操作に基づいて楽音の音色を更新する。複数機能は、それぞれ、音色を示している。このとき、実行部（１４）は、選択機能が示す音色に含まれる音色に更新するが、選択機能が示す音色に含まれない音色に更新しない。
【００１１】
実行部（１４）は、入力装置（６）の操作に基づいて複数音色系列のうちから選択音色系列を選択し、入力装置（５、６）の操作に基づいてその選択音色系列のうちから選択音色を選択し、楽音の音色をその選択音色に更新する。複数機能は、それぞれ、音色系列を示している。このとき、実行部（１４）は、選択機能が示す音色系列に含まれる音色系列を選択するが、選択機能が示す音色系列に含まれない音色系列を選択しない。
【００１２】
実行部（１４）は、入力装置（６）の操作に基づいて楽音の音色調整パラメータの値を更新する。複数機能は、それぞれ、音色調整パラメータを示している。このとき、実行部（１４）は、選択機能が示す音色調整パラメータに含まれる音色調整パラメータの値を更新するが、選択機能が示す音色調整パラメータに含まれない音色調整パラメータの値を更新しない。
【００１３】
実行部（１４）は、入力装置（６）の操作に基づいて楽音のエフェクトを更新する。複数機能は、それぞれ、エフェクトを示している。このとき、実行部（１４）は、選択機能が示すエフェクトに含まれるエフェクトに更新するが、選択機能が示すエフェクトに含まれないエフェクトに更新しない。
【００１４】
実行部（１４）は、入力装置（６）の操作に基づいて楽音の音量を更新する。複数機能は、それぞれ、音量範囲を示している。このとき、実行部（１４）は、選択機能が示す音量範囲に含まれる音量に更新するが、選択機能が示す音量範囲に含まれない音量に更新しない。
【００１５】
複数機能は、それぞれ、発音数を示している。このとき、実行部（１６）は、選択機能が示す発音数以下の複数の楽音を同時に発音するが、選択機能が示す発音数を越える複数の楽音を同時に発音しない。
【００１６】
本発明による電子楽器（１）は、パラメータの値を記録媒体に記録する記録媒体作成部（１９）をさらに備えていることが好ましい。
【００１７】
入力装置（５、６）は、複数動作に対応する複数操作子を備えている。実行部（１４、１５、１６、１７）は、複数動作のうちの操作された操作子に対応する動作を実行する。複数機能は、それぞれ、有効操作子を示している。このとき、実行部（１４、１５、１６、１７）は、複数操作子のうちの選択機能が示す有効操作が操作されたときにその有効操作子に対応する動作を実行するが、複数操作子のうちの選択機能が示す有効操作子を除く無効操作子が操作されたときにその無効操作子に対応する動作を実行しない。
【００１８】
実行部（１６）は、鍵盤（５）のうちの打鍵された鍵に対応する楽音を発生させる。複数機能は、それぞれ、複数の鍵を示している。このとき、実行部（１６）は、鍵盤のうちの選択機能が示す鍵が打鍵されたときにその鍵に対応する楽音を発生させるが、鍵盤のうちの選択機能が示す鍵を除く無効鍵が打鍵されたときに無効鍵に対応する楽音を発生させない。
【００１９】
入力装置（６）は、複数レジストレーションスイッチを備えている。実行部（１５）は、入力装置（６）の操作に基づいて電子楽器（１）から発音される楽音に関する複数パラメータのうちのどのパラメータの値をどのように変更するかをそれぞれ示す複数動作をその複数レジストレーションスイッチに対応付けて、複数動作のうちの操作されたレジストレーションスイッチに対応する動作を実行する。複数機能は、それぞれ、レジストレーションスイッチの個数を示している。このとき、実行部（１５）は、複数レジストレーションスイッチのうちの選択機能が示す個数のレジストレーションスイッチが操作されたときにそのレジストレーションスイッチに対応する動作を実行するが、複数レジストレーションスイッチのうちの選択機能が示す個数に含まれない無効レジストレーションスイッチが操作されたときに無効レジストレーションスイッチに対応する動作を実行しない。
【００２０】
実行部（１７）は、電子楽器（１）により自動演奏される楽曲を構成する楽音に関するパラメータの値を入力装置（５、６）の操作に基づいて編集する。複数機能は、それぞれ、パラメータの値が取り得る範囲を示す。このとき、実行部（１７）は、選択機能が示す範囲にパラメータの値が含まれるように入力装置（５、６）が操作されたときに値を更新するが、選択機能が示す範囲にパラメータの値が含まれないように入力装置（５、６）が操作されたときに値を更新しない。本発明による電子楽器（１）は、楽曲を記録媒体に記録する記録媒体作成部（１９）をさらに備えていることが好ましい。
【発明の効果】
【００２１】
本発明による電子楽器によれば、ユーザは、他の機種で実行することができる機能を覚えたり参照したりする必要がなく、その機種で実行することができる機能だけをより容易に本発明による電子楽器に設定することができる。
【発明を実施するための最良の形態】
【００２２】
図面を参照して、本発明による電子楽器の実施の形態を記載する。その電子楽器１は、図１に示されているように、電子楽器本体２と鍵盤５とパネル６とスピーカ７とフレキシブルディスクドライブ８とを備えている。鍵盤５は、複数の鍵を備え、複数の鍵のうちの打鍵された鍵を示す電気信号とその打鍵速度を示す電気信号とを電子楽器本体２に出力する。その複数の鍵は、複数の白鍵と複数の黒鍵とから形成され、それぞれ、互いに異なる複数の音高に対応している。パネル６は、図示されていない複数のスイッチとディスプレイとを備えている。その複数のスイッチは、複数のレジストレーションスイッチを含んでいる。パネル６は、その複数のスイッチのうちの押下されたスイッチを示す電気信号を電子楽器本体２に出力する。そのディスプレイは、表示面を備え、電子楽器本体２により生成された画面を表示する。
【００２３】
スピーカ７は、電子楽器本体２により生成された電気信号を音に変換する。フレキシブルディスクドライブ８は、電子楽器本体２により生成された情報をフレキシブルディスクに書き込み、フレキシブルディスクにから読み出された情報を電子楽器本体２に出力する。なお、フレキシブルディスクドライブ８は、フレキシブルディスクと異なる他の記録媒体に情報を書き込んだり読み出したりするドライブに置換することができる。その記録媒体としては、メモリーカード、ＣＤ、ＤＶＤが例示される。
【００２４】
電子楽器本体２は、コンピュータであり、図示されていないＣＰＵと記憶装置とを備えている。そのＣＰＵは、電子楽器本体２にインストールされるコンピュータプログラムを実行して、その記憶装置と鍵盤５とパネル６とスピーカ７とフレキシブルディスクドライブ８とを制御する。その記憶装置は、ＲＯＭまたはＲＡＭであり、そのコンピュータプログラムを記録し、そのＣＰＵにより生成される情報を一時的に記録する。電子楽器本体２は、そのコンピュータプログラムである機能データベース１１と機種選択部１２とガイド部１３と設定部１４とレジストレーション設定部１５と演奏部１６と編集部１７と自動演奏部１８と記録媒体作成部１９とがインストールされている。
【００２５】
機能データベース１１は、電子楽器１とデータ互換性がある複数の機種がそれぞれ実行することができる機能を記憶装置に記録する。機種選択部１２は、パネル６の操作に基づいてその複数の機種から１つの機種を選択する。ガイド部１３は、パネル６の複数のスイッチのうちの操作することができるスイッチを案内する。
【００２６】
設定部１４は、パネル６の操作に基づいて、複数の音色系列のうちから１つの音色系列を選択する。設定部１４は、さらに、パネル６の操作に基づいて、その選択された音色系列に属する複数の音色のうちから１つの音色を選択し、電子楽器１から発音される楽音をその音色で発音するように設定する。設定部１４は、さらに、パネル６の操作に基づいて、その音色に関する複数の音色調整パラメータにそれぞれ代入される複数の値を設定する。設定部１４は、さらに、パネル６の操作に基づいて、複数のエフェクトのうちから１つのエフェクトを選択する。設定部１４は、さらに、その選択されたエフェクトがパラメータを有するときに、パネル６の操作に基づいてそのパラメータに代入される値を設定する。設定部１４は、さらに、パネル６の操作に基づいて、電子楽器１から発音される楽音の音量を調整する。
【００２７】
設定部１４は、さらに、フレキシブルディスクドライブ８を用いてフレキシブルディスクから読み出される設定内容に従って電子楽器１を設定する。その設定内容は、設定部１４によりパネル６の操作に基づいて設定される内容と同様であり、音色、エフェクト、音量などが例示される。
【００２８】
レジストレーション設定部１５は、パネル６の操作に基づいて、電子楽器１で使用される複数のパラメータのうちのどのパラメータの値をどのように変更するかを示す複数の動作をパネル６の複数のレジストレーションスイッチに対応付ける。レジストレーション設定部１５は、そのレジストレーションスイッチが押下されたときに、その押下されたレジストレーションスイッチに対応する動作を実行する。
【００２９】
演奏部１６は、鍵盤５のうちの打鍵された鍵に対応する音高の楽音をスピーカ７から出力する。演奏部１６は、さらに、打鍵された鍵が複数であるときに、その複数の鍵に対応する複数の楽音を同時に出力する。演奏部１６は、さらに、その鍵の打鍵強度に対応する効果をその楽音に付加し、たとえば、その打鍵強度が大きいほどその楽音の音量を大きくする。その楽音は、音色が設定部１４により選択された音色であり、音色が設定部１４により選択されたエフェクトが付加され、設定部１４により調整された音量でスピーカ７から発生させる。
【００３０】
編集部１７は、パネル６の操作に基づいて、楽曲を編集する。編集部１７は、さらに、フレキシブルディスクドライブ８を用いてフレキシブルディスクに記録される楽曲を読み出すことができる。自動演奏部１８は、パネル６の操作に基づいて、編集部１７により編集された楽曲を自動演奏する。
【００３１】
記録媒体作成部１９は、フレキシブルディスクドライブ８を用いて、設定部１４により設定された設定内容をフレキシブルディスクに記録する。記録媒体作成部１９は、さらに、フレキシブルディスクドライブ８を用いて、編集部１７により編集された楽曲を示す情報をフレキシブルディスクに記録する。
【００３２】
図２は、機能データベース１１により記録される機能テーブルを示している。その機能テーブル２１は、機種名２２を機能に対応付けている。機種名２２は、電子楽器の機種の機種名を示している。その機能は、機種名２２により識別される機種により実行することができる機能を示している。
【００３３】
その機能は、音色系列２３と音色２４と音色調整パラメータ２５とエフェクト２６と同時発音数２７と音量２８とその他の設定２９と鍵盤３０とレジストレーションメモリ数３１とスイッチ類３２とを示している。音色系列２３は、機種名２２により識別される機種により設定することができる音色系列を示している。音色２４は、機種名２２により識別される機種により設定することができる音色を示している。音色調整パラメータ２５は、機種名２２により識別される機種により設定することができる音色調整パラメータを示している。エフェクト２６は、機種名２２により識別される機種により設定することができるエフェクトを示している。同時発音数２７は、機種名２２により識別される機種により同時に発音することができる楽音の個数を示している。音量２８は、機種名２２により識別される機種により設定することができる音量の範囲を示している。その他の設定２９は、機種名２２により識別される機種により設定することができる項目を示し、その項目で設定するパラメータの値が取り得る範囲を示している。その項目としては、ビブラート、タッチレスポンスが例示される。鍵盤３０は、機種名２２により識別される機種が備える鍵盤を構成する鍵を示している。レジストレーションメモリ数３１は、機種名２２により識別される機種が備えるレジストレーションスイッチの個数を示している。スイッチ類３２は、機種名２２により識別される機種が備えるスイッチを示している。
【００３４】
このとき、機種選択部１２は、機能テーブル２１の機種名２２に記載される複数の機種名をパネル６のディスプレイに表示し、パネル６の操作に基づいてその複数の機種名から１つの機種名を選択する。
【００３５】
設定部１４とレジストレーション設定部１５と演奏部１６と編集部１７とは、機能テーブル２１を参照して、機種選択部１２により選択された機種に対応する機能だけを実行し、機種選択部１２により選択された機種に対応する機能以外の機能を実行しない。
【００３６】
すなわち、設定部１４は、機能テーブル２１を参照して、機種選択部１２により選択された機種に対応する機能が示す範囲内で、電子楽器１から発音される楽音に関するパラメータの値を更新する。より具体的には、設定部１４は、機能テーブル２１を参照して、機種選択部１２により選択された機種に対応する音色系列に含まれる音色系列だけを選択する。設定部１４は、さらに、機能テーブル２１を参照して、機種選択部１２により選択された機種に対応する音色に属する音色だけを選択する。設定部１４は、さらに、機能テーブル２１を参照して、機種選択部１２により選択された機種に対応する音色調整パラメータだけにそれぞれ代入される複数の値を変更する。設定部１４は、さらに、機能テーブル２１を参照して、機種選択部１２により選択された機種に対応するエフェクトに含まれるエフェクトだけを選択する。設定部１４は、さらに、機能テーブル２１を参照して、機種選択部１２により選択された機種に対応する音量の範囲内で電子楽器１から発音される楽音の音量を調整する。
【００３７】
レジストレーション設定部１５は、機能テーブル２１を参照して、機種選択部１２により選択された機種に対応する個数のレジストレーションスイッチだけにどのパラメータの値をどのように変更するかを示す複数の動作を対応付ける。その動作は、機種選択部１２により選択された機種に対応する機能が示す範囲内である。レジストレーション設定部１５は、さらに、機能テーブル２１を参照して、機種選択部１２により選択された機種に対応する個数のレジストレーションスイッチのみに関して、そのレジストレーションスイッチが押下されたときに、その押下されたレジストレーションスイッチに対応する動作を実行する。
【００３８】
演奏部１６は、機能テーブル２１を参照して、機種選択部１２により選択された機種に対応する鍵が打鍵されたときだけに、その打鍵された鍵に対応する音高の楽音をスピーカ７から出力する。演奏部１６は、さらに、機能テーブル２１を参照して、機種選択部１２により選択された機種に対応する同時発音数の楽音だけを同時に発音可能とする。
【００３９】
編集部１７は、機能テーブル２１を参照して、機種選択部１２により選択された機種に対応する音色の楽音だけで楽曲が構成されるようにその楽曲を編集する。編集部１７は、さらに、機能テーブル２１を参照して、機種選択部１２により選択された機種に対応するエフェクトだけをその楽音に付加する。編集部１７は、さらに、機能テーブル２１を参照して、機種選択部１２により選択された機種に対応する発音数以下の楽音だけが同時に発音されるようにその楽曲を編集する。
【００４０】
図３は、レジストレーション設定部１５により記録されるレジストレーションテーブルを示している。レジストレーションテーブル３５は、レジストレーションスイッチ３６をパラメータの更新内容３７に対応付けている。レジストレーションスイッチ３６は、パネル６が備えるレジストレーションスイッチを識別している。パラメータの更新内容３７は、レジストレーションスイッチ３６により識別されるレジストレーションスイッチが押下されたときに、更新されるパラメータを示し、そのパラメータに代入される値を示している。
【００４１】
すなわち、レジストレーション設定部１５は、パネル６の操作により、レジストレーションテーブル３５を作成する。レジストレーション設定部１５は、機種選択部１２により機種が選択されたときに、機能テーブル２１を参照して、レジストレーションスイッチ３６が識別するレジストレーションスイッチの個数がその選択された機種に対応するレジストレーションメモリ数であるレジストレーションテーブル３５を作成する。レジストレーション設定部１５は、さらに、フレキシブルディスクドライブ８を用いて、フレキシブルディスクから読み出されたレジストレーションテーブルに従ってレジストレーションテーブル３５を作成することもできる。
【００４２】
図４は、パネル６の一部を示している。パネル６は、複数の音色系列スイッチ４１−１〜４１−８とエフェクトセッティングスイッチ４２とサスティンスイッチ４３と複数のボリュームスイッチ４４と複数のボリュームＬＥＤ４６とを備えている。音色系列スイッチ４１−１〜４１−８は、それぞれ、複数の音色系列に対応している。音色系列スイッチ４１−ｋ（ｋ＝１，２，３，…，８）は、音色系列ＬＥＤ４５−ｋを備えている。音色系列ＬＥＤ４５−ｋは、点灯しているときに音色系列スイッチ４１−ｋが有効であることを示し、消灯しているときに音色系列スイッチ４１−ｋが無効であることを示している。エフェクトセッティングスイッチ４２は、操作されることにより、エフェクトの内容を変更する。サスティンスイッチ４３は、サスティンの内容を変更するときに操作される。ボリュームスイッチ４４は、ボリュームを調節するときに操作される。複数のボリュームＬＥＤ４６は、ボリュームスイッチ４４により調節されたボリュームを示している。
【００４３】
このとき、設定部１４は、機種選択部１２により選択された機種に対応する音色系列に対応する音色系列スイッチ４１−ｋが押下されたときに、音色系列スイッチ４１−ｋに対応する音色系列を選択し、機種選択部１２により選択された機種に対応する音色系列に対応しない音色系列スイッチ４１−ｋが押下されたときに、音色系列スイッチ４１−ｋに対応する音色系列を選択しない。
【００４４】
ガイド部１３は、機能テーブル２１を参照して、機種選択部１２により選択された機種に対応する音色系列に対応する音色系列スイッチの音色系列ＬＥＤを点灯し、その音色系列に対応しない音色系列スイッチの音色系列ＬＥＤを消灯する。ガイド部１３は、さらに、機能テーブル２１を参照して、複数の音色系列スイッチ４１−１〜４１−８のうちの機種選択部１２により選択された機種に対応するスイッチに対応する音色系列スイッチが備える音色系列ＬＥＤを点灯し、そのスイッチに対応しない音色系列スイッチの音色系列ＬＥＤを消灯する。
【００４５】
図５は、パネル６の他の一部を示している。パネル６は、ディスプレイの表示面５０と複数のスイッチ５１−１〜５１−１７とを備えている。表示面５０に表示される画面は、複数の記号５２−１〜５２−１７が記載されている。その複数の記号５２−１〜５２−１７は、その画面が表示面５０に表示されたときに、それぞれ、複数のスイッチ５１−１〜５１−１７の近傍に配置される。各記号５２−ｉ（ｉ＝１，２，３，…，１７）は、近傍に配置されるスイッチ５１−ｉに割り当てられる機能を示している。その記号は、近傍に配置されるスイッチ５１−ｉに機能が割り当てられていないときに、その画面に記載されない。
【００４６】
たとえば、設定部１４によりピアノの音色系列が選択されたときに（すなわち、図４の音色系列スイッチ４１−１が押下されるときに）表示される画面には、ピアノの音色のリストが表示される。すなわち、その画面には、スイッチ５１−１の近傍に文字列「ＧｒａｎｄＰｉａｎｏ」が記載されている。スイッチ５１−２の近傍には、文字列「ＳｔｕｄｉｏＧｒａｎｄＰｉａｎｏ」が記載されている。スイッチ５１−３の近傍には、文字列「ＭｏｒｄｅｒｎＰｉａｎｏ」が記載されている。スイッチ５１−４の近傍には、文字列「ＲｏｃｋＰｉａｎｏ」が記載されている。スイッチ５１−５の近傍には、文字列「ＨｏｎｋｙＴｏｎｋＰｉａｎｏ」が記載されている。スイッチ５１−６の近傍には、文字列「ＰｉａｎｏＯｃｔａｖｅｓ１」が記載されている。スイッチ５１−７の近傍には、文字列「ＰｉａｎｏＯｃｔａｖｅｓ２」が記載されている。スイッチ５１−８の近傍には、文字列「ＥｌｅｃｒｉｃＧｒＰｉａｎｏ」が記載されている。スイッチ５１−９の近傍には、文字列「ＣｌａｓｓｉｃＥＰ１」が記載されている。スイッチ５１−１０の近傍には、文字列「ＣｌａｓｓｉｃＥＰ１」が記載されている。スイッチ５１−１１の近傍には、文字列「ＨＯＭＥ」が記載されている。スイッチ５１−１２の近傍には、記号が記載されていない。スイッチ５１−１３の近傍には、記号が記載されていない。スイッチ５１−１４の近傍には、記号が記載されていない。スイッチ５１−１５の近傍には、記号が記載されていない。スイッチ５１−１６の近傍には、左矢印が記載されている。スイッチ５１−１７の近傍には、右矢印が記載されている。
【００４７】
設定部１４は、スイッチ５１−１が押下されると、音色「ＧｒａｎｄＰｉａｎｏ」を選択する。設定部１４は、スイッチ５１−２が押下されると、音色「ＳｔｕｄｉｏＧｒａｎｄＰｉａｎｏ」を選択する。設定部１４は、スイッチ５１−３が押下されると、音色「ＭｏｒｄｅｒｎＰｉａｎｏ」を選択する。設定部１４は、スイッチ５１−４が押下されると、音色「ＲｏｃｋＰｉａｎｏ」を選択する。設定部１４は、スイッチ５１−５が押下されると、音色「ＨｏｎｋｙＴｏｎｋＰｉａｎｏ」を選択する。設定部１４は、スイッチ５１−６が押下されると、音色「ＰｉａｎｏＯｃｔａｖｅｓ１」を選択する。設定部１４は、スイッチ５１−７が押下されると、音色「ＰｉａｎｏＯｃｔａｖｅｓ２」を選択する。設定部１４は、スイッチ５１−８が押下されると、音色「ＥｌｅｃｒｉｃＧｒＰｉａｎｏ」を選択する。設定部１４は、スイッチ５１−９が押下されると、音色「ＣｌａｓｓｉｃＥＰ１」を選択する。設定部１４は、スイッチ５１−１０が押下されると、音色「ＣｌａｓｓｉｃＥＰ１」を選択する。
【００４８】
ガイド部１３は、機能テーブル２１を参照して、機種選択部１２により選択された機種に対応する有効音色に対応する記号と対応しない無効音色に対応する記号とを識別可能に表示面５０に表示する。たとえば、ガイド部１３は、その有効音色に対応する記号の表示色とその無効音色に対応する記号の表示色とを変えて表示する。または、ガイド部１３は、その有効音色に対応する記号を文字飾りなしで表示して、その無効音色に対応する記号に文字飾り（たとえば、網掛け文字、反転文字）を付加して表示する。または、ガイド部１３は、その無効音色に対応する記号を表示しない。
【００４９】
電子楽器１の動作は、機能が限定されないときに各種機能を実行する動作と、機能を限定する動作と、機能が限定されたときに各種機能を実行する動作とを備えている。
【００５０】
機能が限定されないときに各種機能を実行する動作では、電子楽器１は、パネル６を用いて、操作可能なスイッチをユーザに案内する。その操作可能なスイッチは、押下されたときに、ある動作が電子楽器１により実行されるスイッチを示し、操作不可能なスイッチは、押下されたときに、電子楽器１により何も実行されないスイッチを示している。すなわち、電子楽器１は、パネル６の複数のスイッチのうちの操作可能なスイッチのＬＥＤを点灯し、操作不可能なスイッチのＬＥＤを消灯する。電子楽器１は、表示面５０の近傍に配置される複数のスイッチを操作可能なスイッチと操作不可能なスイッチとに識別する画面を表示面５０に表示する。電子楽器１は、パネル６が操作されると、その操作に対応する機能を実行する。
【００５１】
図６は、機能を限定する動作を示している。電子楽器１は、システム画面を表示している場合でパネル６の操作に基づいて「互換」が選択されたときに、機能テーブル２１に記載される複数の機種名をパネル６のディスプレイに表示する。ユーザは、その複数の機種名から１つの機種名を選択する（ステップＳ１）。電子楽器１は、機能テーブル２１を参照して、ユーザにより選択された機種名に対応する機能を抽出する（ステップＳ２）。電子楽器１は、その抽出された機能だけが実行可能になるように、機能を限定する。このとき、電子楽器１は、予めユーザにより設定された設定内容がその抽出された機能に含まれていないときに、設定内容をその抽出された機能に含まれるように適当に更新する。
【００５２】
図７は、機能が限定されたときに各種機能を実行する動作を示している。電子楽器１は、パネル６を用いて、操作可能なスイッチをユーザに案内する（ステップＳ１１）。その操作可能なスイッチは、押下されたときに、機能を限定する動作により抽出された機能が実行されるスイッチを示している。操作不可能なスイッチは、機能を限定する動作により抽出された機能以外の動作に対応するスイッチを示し、押下されたときに電子楽器１により何も実行されないスイッチを示している。すなわち、電子楽器１は、機能テーブル２１を参照して、パネル６の複数のスイッチのうちの操作可能なスイッチのＬＥＤを点灯し、操作不可能なスイッチのＬＥＤを消灯する。電子楽器１は、機能テーブル２１を参照して、表示面５０の近傍に配置される複数のスイッチを操作可能なスイッチと操作不可能なスイッチとに識別する画面を表示面５０に表示する。電子楽器１は、さらに、機能テーブル２１を参照して、パネル６の複数のスイッチのうちの機能を限定する動作により選択された機種に対応するスイッチのＬＥＤを点灯し、その対応しないスイッチのＬＥＤを消灯する。
【００５３】
電子楽器１は、パネル６が操作されると、機能を限定する動作により抽出された機能がその操作に応答して実行される機能を含んでいるかどうかを判別する（ステップＳ１２）。電子楽器１は、機能を限定する動作により抽出された機能がその操作に応答して実行される機能を含んでいるときに（ステップＳ１２、ＹＥＳ）、その機能を実行する（ステップＳ１３）。電子楽器１は、機能を限定する動作により抽出された機能がその操作に応答して実行される機能を含んでいないときに（ステップＳ１２、ＮＯ）、その機能を実行しないで、警告音を発して警告する（ステップＳ１４）。
【００５４】
このような動作によれば、電子楽器１は、ユーザにより機種が選択されるだけで、その機種の電子楽器で利用することができない機能を実行することができなくなり、そのユーザは、他の機種で実行することができる機能を覚えたり参照したりする必要がなく、その機種で実行することができる機能だけをより容易に電子楽器１に設定することができる。たとえば、電子楽器１は、音楽教室の先生に使用されるときに、生徒に使用される電子楽器の機種が選択されることにより、生徒の電子楽器で利用することができない機能を実行することができなくなる。このとき、その先生と生徒とは、互いに同じ機種の電子楽器を使用しているように感じることができる。
【００５５】
電子楽器１は、図７の動作により作成された設定内容と図７の動作により編集された楽曲をフレキシブルディスクドライブ８を用いてフレキシブルディスクに記録することができる。このとき、選択された機種の電子楽器は、そのフレキシブルディスクを用いて、電子楽器１に設定された設定内容を設定することができ、その電子楽器１により編集された楽曲を演奏することができる。
【図面の簡単な説明】
【００５６】
【図１】図１は、本発明による電子楽器の実施の形態を示すブロック図である。
【図２】図２は、機能テーブルを示す図である。
【図３】図３は、レジストレーションテーブルを示す図である。
【図４】図４は、パネルの一部を示す平面図である。
【図５】図５は、パネルの他の一部を示す平面図である。
【図６】図６は、電子楽器の機能を限定する動作を示すフローチャートである。
【図７】図７は、機能が限定されたときに各種機能を実行する動作を示すフローチャートである。
【符号の説明】
【００５７】
１  ：電子楽器
２  ：電子楽器本体
５  ：鍵盤
６  ：パネル
７  ：スピーカ
１１：機能データベース
１２：機種選択部
１３：ガイド部
１４：設定部
１５：レジストレーション設定部
１６：演奏部
１７：編集部
１８：自動演奏部
１９：記録媒体作成部
２１：機能テーブル
２２：機種名
２３：音色系列
２４：音色
２５：音色調整パラメータ
２６：エフェクト
２７：同時発音数
２８：音量
２９：その他の設定
３０：鍵盤
３１：レジストレーションメモリ数
３２：スイッチ類
３５：レジストレーションテーブル
３６：レジストレーションスイッチ
３７：パラメータの更新内容
４１−１〜４１−８：音色系列スイッチ
４２：エフェクトセッティングスイッチ
４３：サスティンスイッチ
４４：ボリュームスイッチ
５０：表示面
５１−１〜５１−１７：複数のスイッチ
５２−１〜５２−１７：複数の記号
【図１】
0004404367.tif 000002
【図２】
0004404367.tif 000003
【図３】
0004404367.tif 000004
【図４】
0004404367.tif 000005
【図５】
0004404367.tif 000006
【図６】
0004404367.tif 000007
【図７】
0004404367.tif 000008